(57)【要約】【課題】マルチスロット受信時でも送受信特性の劣化を抑えた無線通信装置を提供することを目的とする。【解決手段】付加機能制御手段１３は、CPU１１にて作成されて送り込まれたデ−タ１５を、制御CPU１２の示すタイミング信号１６にて各付加機能装置へデ−タバス１４を用いて送受信する。制御CPU１２は実際の無線通信周波数の制御も行い、送受信周波数がそれぞれの付加機能装置へのデ−タクロック周波数、または付加機能装置の動作周波数の整数倍となりその影響を受けているときは、デ−タ１５の送受信を行なわないように制御することで無線特性の向上が実現出来る。【選択図】図１
2006246301.tif 000002
【特許請求の範囲】
【請求項１】
デ−タおよび音声信号の無線通信機能とディスプレイやカメラ等の付加機能を備える移動体無線通信装置において、
ディスプレイデバイスやカメラデバイス等の付加機能装置の動作を制御する付加機能制御手段と、
前記付加機能制御手段および無線通信機能の動作を制御するCPUとを備え、
前記CPUは、前記付加機能装置の動作周波数の整数倍に相当する無線通信周波数で無線通信信号を送信または受信している期間は、前記付加機能装置の動作を停止する制御を行うことを特徴とする移動体無線通信装置。
【請求項２】
デ−タおよび音声信号の無線通信機能とディスプレイやカメラ等の付加機能を備える移動体無線通信装置において、
ディスプレイデバイスやカメラデバイス等の付加機能装置の動作を制御する付加機能制御手段と、
前記付加機能制御手段および無線通信機能の動作を制御するCPUとを備え、
前記CPUは、前記付加機能装置との送受信デ−タの送信または受信周波数の整数倍に相当する無線通信周波数で無線通信信号を送信または受信している期間は、前記付加機能装置との送受信デ−タの送信または受信動作を停止する制御を行うことを特徴とする移動体無線通信装置。
【請求項３】
デ−タおよび音声信号の無線通信機能とディスプレイやカメラ等の付加機能を備える移動体無線通信装置において、
ディスプレイデバイスやカメラデバイス等の付加機能装置の動作を制御する付加機能制御手段と、
前記付加機能制御手段および無線通信機能の動作を制御するCPUとを備え、
前記CPUは、前記付加機能装置との送受信デ−タの送信または受信周波数の整数倍に相当する無線通信周波数で無線通信信号を送信または受信している期間は、前記付加機能装置との送受信デ−タの送信または受信のクロック周波数を変更する制御を行うことを特徴とする移動体無線通信装置。
【請求項４】
前記CPUは、無線通信信号を送受信している期間、あるいは前記付加機能装置との送受信デ−タの送信または受信周波数の整数倍に相当する無線通信周波数で前記無線通信信号を送信または受信している期間は、前記付加機能装置との送受信デ−タの送信または受信のクロック周波数を分周する制御を行うことを特徴とする請求項３記載の移動体無線通信装置。
【請求項５】
デ−タおよび音声信号の無線通信機能とディスプレイやカメラ等の付加機能を備える移動体無線通信装置において、
ディスプレイデバイスやカメラデバイス等の付加機能装置の動作を制御する付加機能制御手段と、
前記付加機能制御手段および無線通信機能の動作を制御するCPUとを備え、
前記CPUは、前記付加機能装置との送受信デ−タの送信または受信周波数の整数倍に相当する無線通信周波数で前記無線通信信号を送信または受信している期間は、前記付加機能装置の動作クロック周波数を変更する制御を行うことを特徴とする移動体無線通信装置。
【請求項６】
前記CPUは、無線通信信号を送受信している期間、あるいは前記付加機能装置との送受信デ−タの送信または受信周波数の整数倍に相当する無線通信周波数で前記無線通信信号を送信または受信している期間は、前記付加機能装置の動作クロック周波数を分周する制御を行うことを特徴とする請求項５記載の移動体無線通信装置。
【発明の詳細な説明】
【技術分野】
【０００１】
本発明は、携帯電話機を代表とする移動体無線通信装置の諸特性を改善する技術に関するものである。
【背景技術】
【０００２】
多機能化した携帯電話機を代表とする移動体通信機器では、その多様な機能を搭載する付加機能装置が、本来の通信機器としての諸特性を劣化させることがある。例えば（特許文献１）では、表示部(ディスプレイ)や撮影部(カメラ)といった付加機能を備えた携帯電話装置における各デ−タクロック周波数の整数倍に該当する受信周波数での受信感度劣化を指摘している。
以下、この（特許文献１）を従来例として、図７を用いて説明する。
図７において、無線通信処理および装置全体の動作タイミングの制御を行うCPUＡと付加機能装置のデータ処理を行なうCPUＢの２つのCPUより構成される制御部１０５は、無線信号の処理を行なう無線部１０２、アナログのベ−スバンド信号の処理を行なうアナログベ−スバンド部１０３、ディジタルのベ−スバンド信号の処理を行なうディジタルベ−スバンド部１０４、キ−操作部１０９、電源部１０６に接続され、それぞれの制御を行なう。また、制御部１０５は接続フレキシブルプリント板で構成されるバス１２０とバス１２１に接続され、さらに前記バス経由で表示部（ＬＣＤ）１１０と撮影部（Ｃａｍｅｒａ）１１４などの付加機能装置に接続されている。
この構成において、前述のデ−タバス１２０、１２１上のデ−タ信号および付加機能装置の動作クロックの高調波成分が無線部１０２に影響を与え、あたかも該当受信周波数に外来妨害電波が到来したときと同様の状況が生じて受信感度劣化を引き起こす要因となっている。この課題に対し、従来例では制御部１０５で付加機能装置の動作を制御することで対策している。以下その動作について、図８を用いて説明する。
図８は従来例による携帯電話装置の送受信時における制御部１０５の付加機能装置に対する制御動作を説明するタイミングチャ−トである。TDMA方式(時分割多重接続方式)のディジタル携帯電話方式においては、携帯電話装置は割り当てられた受信タイミングスロット（ＲＸ−１１）、（ＲＸ−12）、（ＲＸ−13）で無線通信の受信処理を行い、送信タイミングスロット（ＴＸ1）、（ＴＸ2）で無線通信の送信処理を行う。無線通信処理と同時にＬＣＤやＣａｍｅｒａ等の付加機能装置が動作しているが、受信特性が劣化するため図８に示すとおり、付加機能装置の動作および付加機能装置とのデータの送受信を停止させる制御を行なう。
以上のように、従来例の携帯電話装置においては、受信区間で付加機能装置の動作が停止してデ−タバスによる影響が無くなるため、受信感度劣化の無い良好な受信を可能としている。
【特許文献１】特開２００４−１９３９５１号公報
【発明の開示】
【発明が解決しようとする課題】
【０００３】
しかしながら、カメラ等の付加機能を備えた移動体無線通信装置を考えた時、音声通話のみの端末と比べると、送受信する付加機能デ−タ量が必然的に多くなり、受信だけでも長期間に渡りスロットを占有するマルチタイムスロット受信動作となる場合が多くなる。マルチタイムスロット受信時は付加機能装置の動作およびデ−タの送受信を中断する時間がそれだけ多くなるので、送受信すべき付加機能デ−タ量が多いにも関わらず付加機能装置が動作出来ない時間が増えてしまうという矛盾が生じる。その場合、受信感度特性あるいは付加機能のどちらかを優先せざるをえなくなり、その技術の本来の目的であるマルチスロット受信方式による大量データの受信を果たすことが出来ないことは明らかである。
本発明は、上記従来の技術では解決出来なかったマルチタイムスロット受信時でも受信感度劣化を抑えた移動体無線通信装置を提供することを目的としている。
【課題を解決するための手段】
【０００４】
上記課題を解決するため、本発明による移動体無線通信装置は、ディスプレイやカメラ等へ送るデ−タの作成やその動作を制御するCPU、およびディスプレイデバイスやカメラデバイス等の付加機能装置の制御手段を備え、CPUは付加機能装置の動作周波数、あるいは付加機能装置との送受信デ−タの送信または受信周波数の整数倍に相当する無線通信周波数で無線通信信号を送信または受信している期間のみ、付加機能の動作あるいは付加機能装置とのデ−タの送受信を停止させる制御を行うことを特徴とする。
また、CPUは付加機能装置の動作周波数、あるいは付加機能装置との送受信デ−タの送信または受信周波数の整数倍に相当する無線通信周波数で無線通信信号を送信または受信している期間のみ、その動作クロックあるいはデ−タの送受信クロックを分周、または変更する制御を行うことを特徴とする。
また、CPUは無線通信信号を送信または受信している期間は、付加機能装置の動作クロック、あるいは付加機能装置との送受信デ−タの送受信クロックを分周する制御を行うことを特徴とする。
【発明の効果】
【０００５】
以上のように、付加機能装置の動作クロックあるいは付加機能装置との送受信デ−タの送受信クロックの高調波成分が妨害波となる特定の無線受信周波数で無線通信信号を送受信している期間のみ、妨害波の要因である付加機能装置の動作やそのデ−タの送受信処理を中断するか、またはそのクロックの周波数を分周等により変更することで、デ−タの送受信停止期間または分周による低速クロック期間を最小化できるので、デ−タの送受信速度の大幅な低下を避けながら、受信感度を代表とする特性の劣化を抑えることが出来る。
また、分周以外の周波数変更方法を使用することで、上記期間においてもクロック速度が低下しないための送受信速度の低下を避ける事も可能である。
また、上記の様な特定の周波数関係となる期間を含め、無線通信信号を送受信している期間は、付加機能装置の動作やそのデ−タの送受信クロックの周波数を分周することで、妨害波の成分を大幅に削減できるので、特定の周波数関係を考慮せずとも受信感度を代表とする特性の劣化を抑えることが出来る。
【発明を実施するための最良の形態】
【０００６】
(実施の形態１)
次に、本発明の実施の形態１について図面を用いて説明する。
図１は、本発明による移動体無線通信装置の第一の実施例における制御部１００のブロック図である。制御部１００は破線で示すブロックで示されており、CPU１１とCPU１２と付加機能制御手段１３で構成されている。そして、本発明による移動体無線通信装置の制御部１００以外の他のブロックは、図７で示した従来の構成と同様の構成を採る。ただし、付加機能装置１７として、本移動体無線通信装置に内蔵またはコネクタを介して挿抜可能な外部メモリ（SD）を追加している。
図１における制御部１００において、CPU１１はディスプレイ（ＬＣＤ）やカメラおよびメモリカード（SD）等の付加機能装置と送受信するデ−タの処理およびユ−ザ−アプリケ−ション動作を制御する。CPU１２は無線通信処理および本移動体無線通信装置の動作タイミングを制御し、それぞれの制御信号や監視信号などの制御用信号を用いて本移動体無線通信装置の各ブロックの動作を制御する。また、CPU１１の動作を制御する。なお、移動体無線通信装置の規模や構成によっては、図１のCPU１１とCPU１２の機能はひとつのCPUで実現させることも出来る。付加機能制御手段１３は、CPU１１にて作成された送受信デ−タ１５を、制御CPU１２より出力されるタイミング制御信号１６に従ってＬＣＤなどの付加機能装置１７とデ−タバス１４を用いて送受信する。ここで、本実施例では制御CPU １２は実際の無線通信周波数も制御している構成としている。本構成により、無線通信の受信周波数がそれぞれの付加機能装置１７へのデ−タの送受信クロック周波数の整数倍となって影響を受けているときは、受信周波数と動作タイミングを管理している制御CPU１２によって、付加機能装置とのデ−タの送受信を停止するように制御することが出来る。従って、デ−タバス１４上の信号の影響を受けずに、信号の劣化のないまま目的とする無線通信信号を受信することが出来る。
次に図２を用いて、上記動作の一例を説明する。図２は本実施例による携帯電話装置の送受信時における制御部１００の付加機能装置１７に対する制御動作を説明するタイミングチャ−トである。本実施例では、受信スロットＲｘ−１１のときの受信無線通信周波数がディスプレイ(ＬＣＤ)部のデ−タの送受信クロック周波数ｆｌの整数倍に当たるが、別クロック周波数であるカメラ部のデ−タの送受信クロック周波数ｆｃの整数倍には当たらない。受信スロットＲｘ−１２のときの受信無線通信周波数がディスプレイ部のデ−タの送受信クロック周波数ｆｌの整数倍には当たらないが、別クロック周波数であるカメラ部の送受信クロック周波数の整数倍に当たる。受信スロットＲｘ−１３のときの受信無線通信周波数はいずれのクロックの整数倍にも当たらない。具体的には、欧州におけるＴＤＭＡ方式であるＧＳＭ方式の携帯電話端末で使用される無線周波数帯を本実施例に適用すると、受信スロットＲｘ−１１のときの受信無線通信周波数ｆ１を９４４ＭＨｚ、Ｒｘ−１２のときの受信無線通信周波数ｆ２を９３６ＭＨｚ、Ｒｘ−１３のときの受信無線通信周波数ｆ３を９５０ＭＨｚとする。また、ｆｃおよびｆｌを、携帯端末のカメラ部およびディスプレイ部の一般的なデ−タの送受信クロック周波数が１０ＭＨｚから２０ＭＨｚであることを考慮して、それぞれ１８ＭＨｚ、１６ＭＨｚとする。
この条件下で、図２において、本実施例では受信スロットＲｘ−１１のときの受信無線通信周波数（９４４ＭＨｚ）はディスプレイ部のデ−タの送受信クロック周波数（１６ＭＨｚ）の整数（５９）倍に相当するので、その高調波成分が受信信号を妨害するのを防ぐため、ディスプレイ部とのデ−タの送受信を行なわない。また本実施例ではカメラ部のデ−タバスは別の送受信クロック周波数（１８ＭＨｚ）を用いているので整数倍に相当しない。従って、その高調波成分は受信信号を妨害しないため、同じ受信スロットＲｘ−１１でもデ−タの送受信を行なう。次の受信スロットＲｘ−１２では、受信無線通信信号の周波数が変わって（９３６ＭＨｚ）ディスプレイのデ−タの送受信クロック周波数（１６ＭＨｚ）の整数倍関係には相当しないため、ディスプレイ部とのデ−タの送受信を行なう。逆にカメラのデ−タの送受信クロック周波数（１８ＭＨｚ）の整数（５２）倍になるため、カメラ部とのデ−タの送受信は停止している。その次の受信スロットＲｘ−１３ではディスプレイもカメラもそのデ−タの送受信クロック周波数のいかなる整数倍も受信無線信号の周波数（９５０ＭＨｚ）に当たらないため、ディスプレイもカメラも無線信号受信スロットでデ−タの送受信を行なうことが出来る。
なお、CPU１２は同様な手順で送受信デ−タの送受信動作の制御だけでなく付加機能装置１７の動作を制御してもよい。また、本実施例では付加機能装置１７との送受信データの送受信クロック周波数と無線信号受信周波数との関係でCPU１２が送受信データの送受信動作を制御したが、付加機能装置１７の動作周波数と無線信号受信周波数との関係でCPU１２が付加機能装置１７の動作と送受信データの送受信動作を制御してもよい。
(実施の形態２)
次に、本発明の実施の形態２について図面を用いて説明する。
図３は、本発明による移動体無線通信装置の第二の実施例における制御部３００のブロック図である。制御部３００は破線で示すブロックで示されており、付加機能制御手段３３以外は実施の形態１と同じ構成である。付加機能制御手段３３は分周器３４、および付加機能装置１７へのデ−タの送受信クロックと分周器３４で生成されたその分周クロックとの切換回路３２を含む。従って、この移動体無線通信装置の動作タイミングを決定する制御CPU１２より出力されるタイミング制御信号に従ってデ−タの送受信クロックを切替えて分周することが可能である。すなわち、無線通信信号の受信スロット時に付加機能装置１７のデータの送受信クロック周波数の整数倍の高調波で無線受信信号が抑圧や妨害を受ける期間は、CPU１２の指示により切換スイッチ３２を分周器３４側に切り換える。分周器３４は、デ−タの送受信の動作クロックを例えば二分周するものとすると、無線受信信号の周波数に相当するデ−タの送受信の動作クロックの高調波の周波数の次数は２倍になる。また、切り替え前がいずれの次数の高調波であっても、切替えて二分周したデ−タの送受信クロックからは必ず偶数倍の次数となる。一般に、パルス波形の高調波のレベルは次数が高いほど低くなり、また、奇数倍の高調波よりも偶数倍の高調波の方がレベルは低いことから、分周しないときと比べると受信感度劣化の程度は抑えられる。従って、好適には分周器３４は偶数分周器であることが望ましい。それでも充分に改善出来ない受信周波数があるときは、その周波数だけ第一の実施例を併用してデ−タクロックを受信スロット中だけ完全に止めれば良い。
次に図４を用いて、受信スロット時に、付加機能装置１７のデータの送受信クロック周波数の整数倍の高調波で無線受信信号が抑圧や妨害を受ける期間に、切換スイッチ３２を分周器３４側に切り換える制御動作を説明する。本実施例では分周器３４の分周数を２とする。すなわち、図４において、Ｍ１は１６ＭＨｚ、Ｍ２は１８ＭＨｚ、Ｎは２である。本実施例では、実施例１と同様に、受信スロットＲｘ−１１では、無線信号の受信周波数（９４４ＭＨｚ）がディスプレイのデ−タの送受信クロック（１６ＭＨｚ）の整数（５９）倍になるので分周器３４側に切り換える。従って、デ−タの送受信クロックが半分の８ＭＨｚとなるので、１１８倍となる。受信スロットＲｘ−１２では、無線信号の受信周波数（９３６ＭＨｚ）がカメラのデ−タの送受信クロック（１８ＭＨｚ）の整数（５２）倍になるので分周器３４側に切り換える。従って、デ−タの送受信クロックが半分の９ＭＨｚとなるので、１０４倍となる。受信スロットＲｘ−１３では実施例１と同様にクロックの分周を行なわない。
いずれの実施例の場合にも、高調波の次数が２倍となったため、その成分は大幅に削減できる。また、デ−タの動作クロックを分周するのは、特定無線周波数での受信スロット時のみであるので、全体から見ればデ−タの送受信量の大幅な低下は避けられることになる。
なお、本実施例ではデ−タの動作クロック周波数を変更する手段として分周手段を用いたが、他にフェ−ズロックドル−プ（ＰＬＬ）等の可変周波数クロック発生器を使用して、その高調波が受信無線周波数と異なる周波数となる送受信デ−タの送受信クロック周波数にCPU１２で設定し、本実施例で示したタイミングで切り換え制御を行う事でも実現可能である。
また、互いに素なるクロック周波数関係を持つ２つのクロック発生器を使用し、CPU１２で本実施例で説明したタイミングで切り換え制御を行う事でも実現可能である。
なお、CPU１２は同様な手順で送受信デ−タの送受信動作クロック周波数の制御だけでなく付加機能装置１７の動作クロック周波数を制御してもよい。ところで、本実施例では付加機能装置１７との送受信データの送受信クロック周波数と無線信号受信周波数との関係でCPU１２が送受信データの送受信動作クロック周波数を制御した。一方、付加機能装置１７の動作周波数と無線信号受信周波数との関係でCPU１２が付加機能装置１７の動作クロック周波数と送受信データの送受信動作クロック周波数を制御してもよい。
【０００７】
(実施の形態３)
次に、本発明の実施の形態３について図面を用いて説明する。本実施例では、実施の形態１と同じ構成であるが、図２で説明した制御方法とは異なる。図５は実施の形態３における携帯電話装置の送受信時における制御部１００の付加機能装置１７に対する制御動作を説明するタイミングチャ−トである。本実施例では、実施の形態１の制御手順に加えて、送信無線周波数が付加機能装置１７の送受信デ−タの送受信クロック周波数の整数倍に相当する期間においても付加機能装置１７とのデータ転送処理を停止する制御を行なう。これは送受信クロックの高調波により、無線信号の受信特性と共に変調精度等の送信特性の劣化が発生することを防止するためである。
本実施例では、図２で示した条件に加え、送信スロットＴＸ−1のときの送信無線通信周波数はディスプレイ(ＬＣＤ)部のデ−タの送受信クロック周波数の整数倍に相当しないが、別クロック周波数であるカメラ部の送受信クロック周波数の整数倍に相当する。送信スロットＴＸ−2のときの送信無線通信周波数がディスプレイ部のデ−タの送受信クロック周波数の整数倍に相当し、別クロック周波数であるカメラ部の送受信クロック周波数の整数倍には相当しない。具体的には、実施例１の条件に加え、GSM方式の無線送信周波数帯を適用してＴＸ−1のときの送信無線通信周波数を９００ＭＨｚ、ＴＸ−２のときの送信無線通信周波数を８９６ＭＨｚとする。
この条件下で、図３において、本実施例では送信スロットＴＸ−1のときの送信無線通信周波数（９００ＭＨｚ）がディスプレイ部のデ−タの送受信クロック周波数（１６ＭＨｚ）の整数倍に相当しないので、ディスプレイ部とのデ−タの送受信を行う。一方カメラ部のデ−タクロック周波数（１８ＭＨｚ）の整数（５０）倍関係に相当するので、その高調波成分は無線送信信号を妨害するため、同じ送信スロットＴＸ−１１ではデ−タの送受信は行なわない。次の送信スロットＴＸ−2では送信無線通信信号の周波数が変わって（８９６ＭＨｚ）ディスプレイのデ−タ送受信クロック周波数（１６ＭＨｚ）の整数（５６）倍関係に相当するため、ディスプレイ部とのデ−タの送受信は行なわないが、逆にカメラのデ−タクロック周波数（１８ＭＨｚ）の整数倍には相当しないため、カメラ部とのデ−タの送受信を行なう。
なお、本実施の形態は実施の形態２の構成でもそのまま適用する事が出来る。すなわち、CPU１２は付加機能装置１７の動作周波数や送受信データの送受信クロック周波数と無線信号送受信周波数との関係で、送受信デ−タの送受信動作クロック周波数や付加機能装置１７の動作クロック周波数を制御してもよい。
（実施の形態４）
次に、本発明の実施の形態４について図面を用いて説明する。本実施の形態では、図３で説明した実施例２と全く同様の構成を採る。相違点は図４で説明したCPU12の制御動作である。実施例２では特定の無線周波数での無線信号の受信時のみ、CPU12で付加機能装置１７との送受信データの送受信クロック周波数またはその動作周波数を分周する制御を行った。
一方、本実施例では図６に示すように、CPU12は無線周波数に関わらず無線信号の送受信時に付加機能装置１７との送受信データの送受信クロック周波数またはその動作周波数を分周する制御を行う。
なお、本発明の実施例では付加機能装置１７としていずれもＳＤを具備しているが、ディスプレイ部やカメラと全く同様の制御を行なえば良い。
ところで、無線通信信号の送受信周波数の切替えは、ＧＳＭ方式の場合、無線基地局間のハンドオーバー時やＴＤＭＡでの自スロット以外での周辺セルの探索時などに発生する。CPU１２は、無線信号の送受信周波数およびその切り替えタイミングを管理しているので、この切替え時に送受信周波数を付加機能装置１７との送受信データの送受信クロック周波数、または付加機能装置１７の動作クロック周波数で除算すれば、その剰余が０であるか否かで本発明の実施例１から３で示した付加機能部の制御の要否を判断できる。
【産業上の利用可能性】
【０００８】
本発明による移動体無線通信装置はデ−タの送受信量の大幅な低下を避けながらも、受信感度を代表とする無線特性の劣化を抑えることが出来るので、カメラや大画面表示装置等の付加機能装置を備えた携帯電話等の小型移動端末の用途に有用である。
【図面の簡単な説明】
【０００９】
【図１】第一の実施例における制御部のブロック図
【図２】第一の実施例における無線信号送受信時のタイミング制御動作の説明図
【図３】第二の実施例における制御部のブロック図
【図４】第二の実施例における無線信号送受信時のタイミング制御動作の説明図
【図５】第三の実施例における無線信号送受信時のタイミング制御動作の説明図
【図６】第四の実施例における無線信号送受信時のタイミング制御動作の説明図
【図７】従来の技術における携帯電話装置のブロック図
【図８】従来の技術における無線信号送受信時のタイミング制御動作の説明図
【符号の説明】
【００１０】
１１ 付加機能装置へ送るデ−タを作成して送受信するCPU
１２ 無線通信動作や全体の動作タイミングを制御する制御CPU
１３ 付加機能制御手段
１４ デ−タバス
１５ CPU １１にて作成されて送り込まれるデ−タ 
１６ 制御CPU １２のタイミングおよび全体の制御信号
１７      付加機能装置
３２ 切換スイッチ
３３ 付加機能制御手段
３４ 分周器
１００、３００    制御部
１０１ アンテナ
１０２ 無線部
１０３ アナログベ−スバンド部
１０４ ディジタルベ−スバンド部
１０５ 制御部
１０６ 電源部
１０７ 電池
１０９ キ−操作部
１１０ 表示部
１１１ マイクロホン
１１２ スピ−カ
１１３ レシ−バ
１１４ 撮影部
１２０、１２１ デ−タバス
【図１】
2006246301.tif 000003
【図２】
2006246301.tif 000004
【図３】
2006246301.tif 000005
【図４】
2006246301.tif 000006
【図５】
2006246301.tif 000007
【図６】
2006246301.tif 000008
【図７】
2006246301.tif 000009
【図８】
2006246301.tif 000010